(57)【要約】【課題】異なる区画室内に構成された回路間の接続を簡素にして区画室を仕切るシールド壁に取り付ける相互接続用に中継ピンの数を減らす。【解決手段】シールド壁７０ａには一方の区画室７０ｂで生成した低域側の中間周波信号を他方の区画室７０ｃの第二の信号選択手段２２に入力するための中継ピン７１Ｃ、７１Ｄと、他方の区画室７０Ｃで生成した高域側の中間周波信号を一方の区画室７０Ｂの第一の信号選択手段２１に入力するための中継ピン７１Ｅ、７１Ｆとを取り付け、他方の区画室７０Ｃの第一の制御回路２７から出力される制御信号を中継ピン７１Ｃ〜７１Ｆを介して第一の信号選択手段２１に入力して中継ピン７１Ｃ〜７１Ｆを中間周波信号の伝送と制御信号の伝送とに共用する。【選択図】        図２
2004289337.tif 000002
【特許請求の範囲】
【請求項１】
シールド壁によって互いに仕切られた二つの区画室を有する筺体と、一方の区画室内に設けられ、前記一方の区画室において生成された低域側の中間周波信号と他方の区画室において生成された高域側の中間周波信号とが入力されると共にいずれかの中間周波信号を選択して出力する第一の信号選択手段と、他方の区画室内に設けられ、前記低域側の中間周波信号と前記高域側の中間周波信号とが入力されると共にいずれかの中間周波信号を選択して出力する第二の信号選択手段と、一方の区画室に設けられると共に前記第一の信号選択手段を制御するための制御信号を出力する第一の制御回路、及び前記第二の信号選択手段を制御するための制御信号を出力する第二の制御回路を備え、前記シールド壁には前記低域側の中間周波信号を前記第二の信号選択手段に入力するための中継ピンと、前記高域側の中間周波信号を前記第一の信号選択手段に入力するための中継ピンとを取り付け、前記第一の制御回路から出力される制御信号を前記中継ピンを介して前記第一の信号選択手段に入力したことを特徴とする衛星放送受信用ダウンコンバータ。
【請求項２】
前記第一及び第二の信号選択手段における前記中間周波信号の入力端と前記中継ピンとを直流カットコンデンサを介して接続したことを特徴とする請求項１に記載の衛星放送受信用ダウンコンバータ。
【発明の詳細な説明】
【０００１】
【発明の属する技術分野】
本発明は２入力２出力型の衛星放送受信用ダウンコンバータに関する。
【０００２】
【従来の技術】
図４に従来の衛星放送受信用ダウンコンバータの回路構成を示す。図示しないパラボラアンテナで受信された１０．７ＧＨｚ〜１２．７５ＧＨｚの帯域に含まれる衛星放送信号のうち、水平偏波された衛星放送信号が第一の入力端３１に入力される。垂直偏波された衛星放送信号は第二の入力端３２に入力される。
【０００３】
第一の入力端３１には第一の低雑音増幅器３３が接続され、第一の低雑音増幅器３３の出力端には第一の分配器３４が接続される。また、第二の入力端３２には第二の低雑音増幅器３５が接続され、第二の低雑音増幅器３５の出力端には第二の分配器３６が接続される。第一の分配器３４によって分配された水平偏波の衛星放送信号の一方が第一の混合器３７入力され、他方が第三の混合器３９に入力される。また、第二の分配器３６によって分配された垂直の衛星放送信号の一方が第二の混合器３８に入力され、他方が第四の混合器４０に入力される。
【０００４】
第一の混合器３７と第二の混合器３８とには第一の局部発振器４１から出力される９．７５ＧＨｚの第一の局部発振信号が入力され、第三の混合器３９と第二の混合器４０とには第二の局部発振器４２から出力される１０．６ＧＨｚの第二の局部発振信号が入力される。そして、第一の混合器３７では上記帯域１０．７ＧＨｚ〜１２．７５ＧＨｚの低域側（１０．７ＧＨｚ〜１１．７ＧＨ）に含まれる水平偏波の衛星放送信号が０．９５ＧＨｚ〜１．９５ＧＨｚの間の第一の中間周波信号に周波数変換され、第二の混合器３８でも低域側（１０．７ＧＨｚ〜１１．７ＧＨｚ）に含まれる垂直偏波の衛星放送信号が０．９５ＧＨｚ〜１．９５ＧＨｚの間の第二の中間周波信号に周波数変換される。
【０００５】
また、第三の混合器３９では高域側（１１．７ＧＨｚ〜１２．７５ＧＨ）に含まれる水平偏波の衛星放送信号が１．１ＧＨｚ〜２．１５ＧＨｚの間の第三の中間周波信号に周波数変換され、第四の混合器４０でも高域側（１１．７ＧＨｚ〜１２．７５ＧＨｚ）に含まれる垂直偏波の衛星放送信号が１．１ＧＨｚ〜２．１５ＧＨｚの間の第四の中間周波信号に周波数変換される。
【０００６】
第一乃至第四の中間周波信号はそれぞれ図示しないバンドパスフィルタを通過してそれぞれ第一乃至第四の中間周波増幅器４３〜４６に入力される。第一乃至第四の中間周波増幅器４３〜４６の出力端にはそれぞれ対応する第三乃至第７の分配器４７〜５０が接続される。そして、各分配器４７〜５０から出力される第一乃至第四の中間周波信号の一方が第一の信号選択手段５１に入力され、各分配器４７〜５０から出力される第一乃至第四の中間周波信号の他方が第二の信号選択手段５２に入力される。
【０００７】
第一の信号選択手段５１と第二の信号選択手段５２は入力された第一乃至第四の中間周波信号の一つを選択してそれぞれ第一の出力端５３と第二の出力端５４に出力する。各出力端５３、５４はケーブルによって屋内に接地された図示しない受信機に接続される（例えば、特許文献１参照。）。
【０００８】
【特許文献１】
特開２００２−３７４１８０号公報（図５）
【０００９】
ところで、上記に説明した回路は２枚の回路基板に分割して構成され、回路基板はシールド壁によって仕切られた区画室を有する筺体内に収納される。また、第一及び第二の信号選択手段５１、５２の選択動作を制御する制御回路が設けられるが、上記回路の分割と、制御回路の配置とについて図５を参照して説明する。
【００１０】
図５に示す筺体６０は断面図を示し、中央部にシールド壁６０ａが設けられ、内部は上下に区画室６０ｂ、６０ｃが設けられる。各区画室６０ｂ、６０ｃ内にはシールド壁６０ａを挟んでその面上に設置された回路基板がそれぞれ設けられる。図６では回路基板を図示してはいないが回路基板に構成される回路を示す。また、図示はしないが、上側の区画室６０ｂには衛星からの電波を受信する導波管が接続される。
【００１１】
上側の区画室６０ｂ内に設けられた回路基板には第一及び第二の低雑音増幅器３３、３５、第一及び第二の分配器３４、３６、第一及び第二の混合器３７、３８、第一の局部発振器４１、第一及び第二の中間周波増幅器４３、４４、第三及び第四の分配器４７、４８、第一の信号選択手段５１が構成される。
一方、下側の区画室６０ｃ内に設けられた回路基板には残りの回路、即ち、第三及び第四の混合器３９、４０、第二の局部発振器４２、第三及び第四の中間周波増幅器４５、４６、第五及び第六の分配器４９、５０、第二の信号選択手段５２が構成される。以上のように、上側の区画室６０ｂ内の回路基板には下側の区画室６０ｃ内の回路基板よりも多くの回路（第一及び第二の低雑音増幅器３３、３５、第一及び第二の分配器３３、３５）が構成されているのは上側の区画室６０ｂには衛星からの電波を受信する導波管が接続されるためである。そのため、第一及び第二の信号選択手段５１、５２をそれぞれ制御するための制御回路６１、６２は下側の区画室６０ｃ内に設けられた回路基板に構成される。
【００１２】
そのため、シールド壁６０ａには上側の区画室６０ｂ内の回路基板に構成された上記回路と下側の区画室６０ｃ内の回路基板に構成された上記回路とを接続するために複数の中継ピン６３が取り付けられる。信号選択のための信号は、外部に接続された受信機から出力端５３、５４に入力される。そして、第二の出力端５４に入力された信号は第二の制御回路６２に入力され、第二の制御回路６２から第二の信号切替手段５２に四つの切替信号が出力される。これによって、第二の信号選択手段５２は入力された四つの中間周波信号のいずれかを選択する。
【００１３】
一方、第一の出力端５３に入力された信号は中継ピン６３ａを介して下側の区画室６０ｃ内に導かれて第一の制御回路６１に入力される。第一の制御回路６１から出力される四つの制御信号は再びそれぞれ中継ピン６３ｂ〜６３ｅを介して上側の区画室６０ｂ内に導かれて第一の信号切替手段５１に入力される。これによって、第一の信号選択手段５１は入力された四つの中間周波信号のいずれかを選択する。
なお、各区画室６０ｂ、６０ｃはそれぞれカバー６４、６５で覆われる。
【００１４】
【発明が解決しようとする課題】
上記の従来の構成では、シールド壁によって仕切られた上側の区画室内と下側の区画室内とにそれぞれ構成された回路を相互に接続するために、シールド壁には多数の中継ピンを取り付けることとなり、部品費の上昇と取り付け作業の繁雑さが問題となっていた。
【００１５】
そこで、本発明では、異なる区画室内に構成された回路間の接続を簡素にして区画室を仕切るシールド壁に取り付ける相互接続用に中継ピンの数を減らすことを目的とする。
【００１６】
【課題を解決するための手段】
上記の課題を解決するため、本発明では、シールド壁によって互いに仕切られた二つの区画室を有する筺体と、一方の区画室内に設けられ、前記一方の区画室において生成された低域側の中間周波信号と他方の区画室において生成された高域側の中間周波信号とが入力されると共にいずれかの中間周波信号を選択して出力する第一の信号選択手段と、他方の区画室内に設けられ、前記低域側の中間周波信号と前記高域側の中間周波信号とが入力されると共にいずれかの中間周波信号を選択して出力する第二の信号選択手段と、一方の区画室に設けられると共に前記第一の信号選択手段を制御するための制御信号を出力する第一の制御回路、及び前記第二の信号選択手段を制御するための制御信号を出力する第二の制御回路を備え、前記シールド壁には前記低域側の中間周波信号を前記第二の信号選択手段に入力するための中継ピンと、前記高域側の中間周波信号を前記第一の信号選択手段に入力するための中継ピンとを取り付け、前記第一の制御回路から出力される制御信号を前記中継ピンを介して前記第一の信号選択手段に入力した。
【００１７】
また、前記第一及び第二の信号選択手段における前記中間周波信号の入力端と前記中継ピンとを直流カットコンデンサを介して接続した。
【００１８】
【発明の実施の形態】
以下、図面に従って本発明の衛星放送受信用ダウンコンバータ（以下単に、ダウンコンバータという）を説明する。図１は回路構成図、図２は筺体内における回路間の接続図、図３は本発明に使用する中継ピンの斜視図である。
【００１９】
図１において、図示しないパラボラアンテナで受信された１０．７ＧＨｚ〜１２．７５ＧＨｚの帯域に含まれる衛星放送信号のうち、水平偏波された衛星放送信号Ｈが第一の入力端１に入力される。垂直偏波された衛星放送信号Ｖは第二の入力端２に入力される。
【００２０】
第一の入力端１には第一の低雑音増幅器３が接続され、第一の低雑音増幅器３の出力端には第一の分配器４が接続される。また、第二の入力端２には第二の低雑音増幅器５が接続され、第二の低雑音増幅器５の出力端には第二の分配器６が接続される。第一の分配器４によって分配された水平偏波の衛星放送信号の一方が第一の混合器７入力され、他方が第三の混合器９に入力される。また、第二の分配器６によって分配された垂直の衛星放送信号の一方が第二の混合器８に入力され、他方が第四の混合器１０に入力される。
【００２１】
第一の混合器７と第二の混合器８とには第一の局部発振器１１から出力される９．７５ＧＨｚの第一の局部発振信号が入力され、第三の混合器９と第四の混合器１０とには第二の局部発振器１２から出力される１０．６ＧＨｚの第二の局部発振信号が入力される。そして、第一の混合器７では上記帯域１０．７ＧＨｚ〜１２．７５ＧＨｚの低域側（１０．７ＧＨｚ〜１１．７ＧＨ）に含まれる水平偏波の衛星放送信号が０．９５ＧＨｚ〜１．９５ＧＨｚの間の第一の中間周波信号に周波数変換され、第二の混合器８でも低域側（１０．７ＧＨｚ〜１１．７ＧＨｚ）に含まれる垂直偏波の衛星放送信号が０．９５ＧＨｚ〜１．９５ＧＨｚの間の第二の中間周波信号に周波数変換される。第一の中間周波信号と第二の中間周波信号とは低域側の中間周波信号となる。
【００２２】
また、第三の混合器９では高域側（１１．７ＧＨｚ〜１２．７５ＧＨ）に含まれる水平偏波の衛星放送信号が１．１ＧＨｚ〜２．１５ＧＨｚの間の第三の中間周波信号に周波数変換され、第四の混合器１０でも高域側（１１．７ＧＨｚ〜１２．７５ＧＨｚ）に含まれる垂直偏波の衛星放送信号が１．１ＧＨｚ〜２．１５ＧＨｚの間の第四の中間周波信号に周波数変換される。第三の中間周波信号と第四の中間周波信号とは高域側の中間周波信号となる。
【００２３】
第一乃至第四の中間周波信号はそれぞれ図示しないバンドパスフィルタを通過してそれぞれ第一乃至第四の中間周波増幅器１３〜１６に入力される。第一乃至第四の中間周波増幅器１３〜１６の出力端にはそれぞれ対応する第三乃至第六の分配器１７〜２０が接続される。そして、各分配器１７〜２０から出力される第一乃至第四の中間周波信号の一方が第一の信号選択手段２１に入力され、各分配器１７〜２０から出力される第一乃至第四の中間周波信号の他方が第二の信号選択手段２２に入力される。
【００２４】
第一の信号選択手段２１は二つの出力端２３、２４を有し、それぞれの出力端には独立して第一乃至第四の中間周波信号のいずれかを選択し、出力する。同様に、第二の信号選択手段２２も二つの出力端２５、２６を有し、それぞれの出力端には独立して第一乃至第四の中間周波信号のいずれかを選択し、出力する。各出力端はケーブルによって屋内に設置された図示しない受信機に接続される。
また、受信機からは中間周波信号を選択するための選択信号がケーブルを介して各出力端に送られてくる。選択信号はそれぞれ第一の制御回路２７及び第二の制御回路２８に入力される。
【００２５】
第一の制御回路２７は第一の出力端２３に入力された選択信号に基づいていずれかの中間周波信号を選択するための制御信号（ＤＣ電圧）を第一の信号選択手段２１に出力し、第二の出力端２４に入力された選択信号に基づいていずれかの中間周波信号を選択するための制御信号（ＤＣ電圧）を第一の信号選択手段２１に出力する。よって、第一の出力端２３と第二の出力端２４には選択された中間周波信号が個別に出力される。
【００２６】
同様に、第二の制御回路２８は第三の出力端２５に入力された選択信号に基づいていずれかの中間周波信号を選択するための制御信号（ＤＣ電圧）を第二の信号選択手段２２に出力し、第四の出力端２６に入力された選択信号に基づいていずれかの中間周波信号を選択するための制御信号（ＤＣ電圧）を第二の信号選択手段２２に出力する。よって、第三の出力端２５と第四の出力端２６には選択された中間周波信号が個別に出力される。
【００２７】
上記に説明した回路は２枚の回路基板に分割して構成される。回路基板はシールド壁によって仕切られた区画室を有する筺体内に収納される。図２は筺体７０の断面を示し、中央部にシールド壁７０ａが設けられ、内部は上下に区画室７０ｂ、７０ｃが設けられる。各区画室７０ｂ、７０ｃ内にはシールド壁７０ａを挟んでその面上に設置された回路基板がそれぞれ設けられる。図２では回路基板を図示してはいないが回路基板に構成される回路を示す。また、図示はしないが、上側の区画室７０ｂには衛星からの電波を受信する導波管が接続される。
【００２８】
上側の区画室７０ｂ内に設けられた回路基板には第一及び第二の低雑音増幅器３、５、第一及び第二の分配器４、６、第一及び第二の混合器７、８、第一の局部発振器１１、第一及び第二の中間周波増幅器１３、１４、第三及び第四の分配器１７、１８、第一の信号選択手段２１が構成される。
一方、下側の区画室７０ｃ内に設けられた回路基板には残りの回路、即ち、第三及び第四の混合器９、１０、第二の局部発振器１２、第三及び第四の中間周波増幅器１５、１６、第五及び第六の分配器１９、２０、第二の信号選択手段２２が構成される。さらに、第一及び第二の制御回路２７、２８が下側の区画室７０ｃ内の回路基板に構成される。そして、各区画室７０ｂ、７０ｃはそれぞれカバー７２、７３によって覆われる。
【００２９】
シールド壁７０ａには上側の区画室７０ｂ内の回路基板に構成された上記回路と下側の区画室７０ｃ内の回路基板に構成された上記回路とを接続するために、図３に示すような複数の中継ピン７１が取り付けられる。中継ピン７１は図示のように、絶縁性の円柱体７１ａの軸心に導線７１ｂを通した形状を有し、シールド壁７０ａに穿設された穴に挿通される。
【００３０】
そして、第一の分配器４と第三の混合器９とが中継ピン７１Ａを介して接続され、第二の分配器６と第四の混合器１０とが中継ピン７１Ｂによって接続される。また、第三の分配器１７と第二の信号選択手段２２、第四の分配器１８と第二の信号選択手段２２とがそれぞれ中継ピン７１Ｃ、７１Ｄによって接続され、第五の分配器１９と第一の信号分配器２１、第六の分配器２０と第一の信号選択手段２１とがそれぞれ中継ピン７１Ｅ、７１Ｆによって接続される。
【００３１】
第一の信号選択手段２１を制御する第一の制御回路２７が下側の区画室７０ｃ内に設けられているので、第一及び第二の出力端２３、２４に入力された選択信号を第一の制御回路２７に入力するために、第一の信号選択手段２１の一方の出力端２１ａが中継ピン７１Ｇを介して第一の制御回路２７の一方の選択信号入力端２７ａに接続され、第一の信号選択手段２１の他方の出力端２１ｂが中継ピン７１Ｈを介して第一の制御回路２７の他方の選択信号入力端２７ｂに接続される。また、四つの制御信号を出力する第一の制御回路２７の制御信号出力端２７ｃ〜２７ｆはそれぞれ中継ピン７１Ｃ、７１Ｄ、７１Ｆ、７１Ｅに接続される。さらに、中継ピン７１Ｃ、７１Ｄ、７１Ｆ、７１Ｅはそれぞれ第一の信号選択手段２１の制御信号入力端２１ｃ〜２１ｆに接続される。
【００３２】
従って、第一及び第二の出力端２３、２４に入力された選択信号は中継ピン７１Ｇ、７１Ｈを介して第一の制御回路２７に入力され、第一の制御回路２７から出力される制御信号は、中継ピン７１Ｃ、７１Ｄ、７１Ｆ、７１Ｅを介して第一の信号選択手段２１に入力される。よって、中継ピン７１Ｃ〜７１Ｆは中間周波信号と制御信号との伝送に共用される。なお、中継ピン７１Ｃ〜７１Ｆにおいては、第一及び第二の信号選択手段２１、２２に入力される中間周波信号に制御信号が重畳されるので、制御信号が第一及び第二の信号選択手段２１、２２に入力されるのを防ぐため、及び、第三乃至第六の分配器１７〜２０に入力されるのを防ぐため、各中継ピン７１Ｃ〜７１Ｆと各分配器１７〜２０との間、及び各中継ピン７１Ｃ〜７１Ｆと第一及び第二の信号選択手段２１、２２との間は直流カットコンデンサＣによって結合される。
【００３３】
【発明の効果】
以上の説明したように、本発明では、シールド壁には低域側の中間周波信号を第二の信号選択手段に入力するための中継ピンと、高域側の中間周波信号を第一の信号選択手段に入力するための中継ピンとを取り付け、第一の制御回路から出力される制御信号を中継ピンを介して第一の信号選択手段に入力したので、中継ピンは中間周波信号と制御信号との伝送に共用される。よって中継ピンの使用数を減らすことができる。
【００３４】
また、第一及び第二の信号選択手段における中間周波信号の入力端と中継ピンとを直流カットコンデンサを介して接続したので、制御信号が信号選択手段に入力されることを防げる。
【図面の簡単な説明】
【図１】本発明の衛星放送受信用ダウンコンバータの回路構成図である。
【図２】本発明の衛星放送受信用ダウンコンバータを筺体内に構成した場合の接続図である。
【図３】本発明の衛星放送受信用ダウンコンバータに使用する中継ピンの斜視図である。
【図４】従来の衛星放送受信用ダウンコンバータの回路構成図である。
【図５】従来の衛星放送受信用ダウンコンバータの筺体内における接続図である。
【符号の説明】
１  第一の入力端
２  第二の入力端
３  第一の低雑音増幅器
４  第一の分配器
５  第二の低雑音増幅器
６  第二の分配器
７  第一の混合器
８  第二の混合器
９  第三の混合器
１０  第四の混合器
１１  第一の局部発振器
１２  第二の局部発振器
１３  第一の中間周波増幅器
１４  第二の中間周波増幅器
１５  第三の中間周波増幅器
１６  第四の中間周波増幅器
１７  第三の分配器
１８  第四の分配器
１９  第五の分配器
２０  第六の分配器
２１  第一の信号選択手段
２１ａ、２１ｂ  出力端
２１ｃ〜２１ｆ  制御信号入力端
２２  第二の信号選択手段
２３  第一の出力端
２４  第二の出力端
２５  第三の出力端
２６  第四の出力端
２７  第一の制御回路
２７ａ、２７ｂ  選択信号入力端
２７ｃ〜２７ｆ  制御信号出力端
２８  第二の制御回路
７０  筺体
７０ａ  シールド壁
７０ｂ、７０ｃ  区画室
７１、７１Ａ〜７１Ｈ  中継ピン
７２、７３  カバー
Ｃ  直流カットコンデンサ
【図１】
2004289337.tif 000003
【図２】
2004289337.tif 000004
【図３】
2004289337.tif 000005
【図４】
2004289337.tif 000006
【図５】
2004289337.tif 000007